(57)【要約】      （修正有）【課題】空調機に取付けるフィンの構造を提供する。【解決手段】空調機１の一面に取付ける取付け具５と、この取付け具５に移動可能、及び／又は、可動可能に取付けた多関節アームを利用して取付けた、空調機１の吹出口からの風を受けるとともに、風をガードするフィンとでなる。取付け具５は、裏面に貼着部５００を備えた基板５ａと、この基板５ａに第一間隔を置いて設けられる表板５ｂとで構成する。従来の上下方向とローリング方向に加えて、空調機の室内方向と、室外方向とのそれぞれに向かって、水平方向にフィンの移動ができ、風をよりマルチ（全方向）に送風できる特徴がある。上下方向の移動を、二元的に捉えることで、より細やかな角度調整を図り、今までにない変化をフィンに与え、需要者の満喫度を向上できる。【選択図】図１
0003200014.tif 000002
【実用新案登録請求の範囲】
【請求項１】
空調機の一面に取付ける取付け具と、この取付け具に移動可能、及び／又は、可動可能に取付けた多関節アームを利用して取付けた、前記空調機の吹出口からの風を受ける（風をガードする）フィンとでなる空調機に取付けるフィンの構造。
【請求項２】
前記取付け具は、裏面に貼着部を備えた基板と、この基板に第一間隔を置いて設けられる表板とで構成し、この基板に開設した第二螺孔と、前記表板に開設した第一螺孔とを整合し、この整合した第二・第一螺孔に螺着されるとともに、前記第一間隔に挿設された第一アームの長孔に設けられる第一螺子で、この第一アームを、前記空調機に取付ける構成とした請求項１に記載の空調機に取付けるフィンの構造。
【請求項３】
前記多関節アームは、一方端を取付け具に設けた前記第一アームと、この第一アームの他端側に設けた挾持板と、この挾持板に開設した第四螺孔と、前記第一アームの他端側に開設した第三螺孔とを整合し、この整合した第四・第三螺孔に螺着されるとともに、前記挾持板に開設した孔に挿設される第二螺子と、前記挾持板に差込まれる第二アームと、この第二アームの両端に設けたピボット継手の一方と、このピボット継手の他方に設けたフィンとで構成した請求項１に記載の空調機に取付けるフィンの構造。
【請求項４】
前記フィンの風受け側にポケットを形成し、このポケットに、芳香剤、薬剤、竹炭を収容する構成とした請求項１に記載の空調機に取付けるフィンの構造。
【請求項５】
前記フィンは、発泡樹脂素材で構成した請求項１に記載の空調機に取付けるフィンの構造。
【考案の詳細な説明】
【技術分野】
【０００１】
本考案は、空調機に取付けるフィンの構造に関する。
【背景技術】
【０００２】
従来、空調機に取付けるフィンの構造に関しては、先行文献として、実用新案登録第３１１４１７０号公報（文献１）と特開２００４−６９２７７号公報（文献２）に記載のエアーウイングがある。これらの考案、発明は、空調機の吹出口に取付けたフィンが、可動アームを利用して、上下方向に移動し、吹出口（吐出口）の風の流れを制御し、風を直接直下の人に送らない（当てない）こと、空気の拡散を図り、室内の温度分布の均一化を図ること、等にある。この考案等は、上下方向であり、風（気流）の調整が十分とは云えない。
【０００３】
この問題を解決する手段として、市販のエアーウイングがある。このエアーウイングは、文献１と文献２の考案等に、ローリング機能を付与した、風（気流）の調整をマルチとする構造である。
【０００４】
上記に鑑み、本考案は、上下方向に移動を二段階構造とするとともに、フィンを吹出口より遠近可能（床面、又は天井の水平方向への移動を自由とする）とし、風（気流）の調整を、更にマルチとする構造である。
【０００５】
また、本考案のマルチ構造を図るために多関節アームを採用することから、この多関節アームに関しては、先行文献として、特開２００１−１３７３６５号公報（文献３）に記載の多関節アームがある。この多関節アームは、ベッドに設けたアーム支持杆に被嵌した鞘管と、この鞘管に設けた多関節アームを介して、治療冶具を、ベッドの表面に対して、水平方向への移動と、首振り可能とした多関節アームを備えた構造が開示されている。しかし、この発明は、治療冶具がベッドに対して接離可能でなく、かつ空調機のフィン（風受け板とか、風をガードする）の取付け用の多関節アームとしては、有効性が無いと考えられる。
【０００６】
【特許文献１】実用新案登録第３１１４１７０号公報
【特許文献２】特開２００４−６９２７７号公報
【特許文献３】特開２００１−１３７３６５号公報
【考案の概要】
【考案が解決しようとする課題】
【０００７】
従来のエアーウイングは、上下方向と、ローリング方向に関する風の受止めと、かつガード、又は風の拡散である。従って、マルチな働きをする。しかしながら、近時、需要者は、より拡散効果と、優しい風を送ることを要望している。
【０００８】
上記に鑑み、本考案は、従来の方向性に、さらに水平方向への移動により、風をよりマルチ（全方向）に送風する。また、上下方向の移動を、二元的に捉えることで、より細やかな角度調整を図り、今までにない変化をフィンに与え、需要者の満喫度を向上することを意図する。
【０００９】
また、本考案は、マイルドなフィンの移動を担持できる、多関節アームの構造を併せて提供する。
【課題を解決するための手段】
【００１０】
前述した意図と、この意図達成に役立つ多関節アームを提供するために、請求項１〜５を提案する。
【考案の効果】
【００１１】
請求項１の考案は、空調機の一面に取付ける取付け具と、取付け具に移動可能、及び／又は、可動可能に取付けた多関節アームを利用して取付けた、空調機の吹出口からの風を受ける（風をガードする）フィンとでなる空調機に取付けるフィンの構造であり、従来の上下方向とローリング方向に加えて、室内方向と、室外方向とのそれぞれに向かって、水平方向にフィンの移動を可能としたことで、風をよりマルチ（全方向）に送風する送風できる特徴がある。また、上下方向の移動を、二元的に捉えることで、より細やかな角度調整を図り、今までにない変化をフィンに与え、需要者の満喫度を向上できる特徴がある。いずれにしても、第一アームの水平、及び／又は、首振り移動（動き）と、第二アームの二段傾斜（小回転から大回転の傾き）と、ピボット継手のローリング方向の移動（動き）とを、自由に組み合わせて、マルチの風の流れと、直下への風の流れと、を自由に選択できる（冷暖房時において、風の流れを多元的、かつ任意に調整し、直下の人に優しい、風の流れを与え得る）特徴がある。
【００１２】
請求項２の考案は、取付け具は、裏面に貼着部を備えた基板と、基板に第一間隔を置いて設けられる表板とで構成し、基板に開設した第二螺孔と、表板に開設した第一螺孔とを整合し、整合した第二・第一螺孔に螺着されるとともに、第一間隔に挿設された第一アームの長孔に設けられる第一螺子で、第一アームを、空調機に取付ける構成とした空調機に取付けるフィンの構造であり、請求項１の特徴を達成できることと、この取付け具を利用して、空調機の下面の適所に、フィンを取付けできる特徴と、取付けたフィンは、空調機からの風をガードし、かつその風の拡散に有効な作用をする実益が有る。
【００１３】
請求項３の考案は、多関節アームは、一方端を取付け具に設けた第一アームと、第一アームの他端側に設けた挾持板と、挾持板に開設した第四螺孔と、第一アームの他端側に開設した第三螺孔とを整合し、整合した第四・第三螺孔に螺着されるとともに、挾持板に開設した孔に挿設される第二螺子と、挾持板に差込まれる第二アームと、第二アームの両端に設けたピボット継手の一方と、ピボット継手の他方に設けたフィンとで構成した空調機に取付けるフィンの構造であり、請求項１の特徴を達成できることと、この多関節アームを利用して、空調機の下面の適所に取付けたフィンを、多方向に移動できる特徴と、多関節アームで取付けたフィンの移動で、その移動位置のフィンは、空調機からの風を確実にガードし、かつその風の拡散に有効な作用をする実益が有る。
【００１４】
請求項４の考案は、フィンの風受け側にポケットを形成し、ポケットに、芳香剤、薬剤、竹炭を収容する構成とした空調機に取付けるフィンの構造であり、請求項１の特徴に併せて、フィンと、このフィンに収容した、芳香剤、薬剤、竹炭の働きで、室内の空気の清澄性と、芳香性、並びに和み等の達成に有効に役立つものである。
【００１５】
請求項５の考案は、フィンは、発泡樹脂素材で構成した空調機に取付けるフィンの構造であり、請求項１の特徴に併せて、フィンの軽量化、低コスト化、又は再利用資源の活用と、併せて落下時の問題解消、及び／又は、落下頻度の低下とか、取付け具、多関節アームの小型化、材料の節約化等に寄与できて重宝する。
【図面の簡単な説明】
【００１６】
【図１】壁掛け空調機（エアコン）に取付けた状態の仰視図
【図２】他の壁掛け空調機に取付けた状態の仰視図
【図３】フィン（風受け板、風ガード板）の構造を分解した斜視図
【図３−１】フィンの断面図
【図４】図１の要部の側面図
【図５】図１の要部であって、その構造（フィン）のアクティブな動きを示した側面図
【図６】図１の要部であって、その構造（フィン）のローリングの動きを示した正面図
【考案を実施するための形態】
【００１７】
以下、本考案の一実施例を説明する。
【００１８】
図中１は空調機であり、図１は一般的には、家庭用（壁取付け式）、図２は業務用（天井取付け式）を示している。
【００１９】
図中２は、後述するフィン３を含めたフィンの構造であり、その主たる部品は、裏面に貼着部５００を備えた、空調機１の下面（一面）に貼着する基板５ａと、基板５ａに取付けられ、かつ基板５ａとの間に差込空間Ａを形成する表板５ｂとで構成した取付け具５と、差込空間Ａに基端が差込まれる長孔６００（長い切り溝）を備えた略倒Ｌ形の第一アーム６と、第一アーム６の先端に取り付けられ、かつ第一アーム６の先端に設けた第三螺孔６０１に整合する第四螺孔７００を備えた略Ｕ形の挾持板７と、この挾持板７の折曲げ部に挟持される略門形の第二アーム８と、この第二アーム８の両端８ａ、８ｂに設けたピボット継手１０の雄部１０ａと、前記フィン３に設けたピボット継手１０の雌部１０ｂと、で構成されている。尚、基板５ａには、第一螺孔５０１を設ける。また、表板５ｂには、第二螺孔５０１ａ（孔）を設ける。
【００２０】
フィン３は、発泡樹脂素材で構成した軽量素材でなり、落下した場合でも、人、物等に危害を与えない構造である。またフィン３には凹部３００と、この凹部３００に嵌合される、複数の開口３０１ａを備えた蓋部３０１とを有しており、この凹部３００と蓋部３０１とで構成された空間Ａ１（ポケット）には、竹炭Ｂ等が収容される。このようにポケットを、フィン３の風受け部で、かつその長手方向の中心部に設けたことで、空調機１から吐出される風を利用して、竹炭効果、例えば、脱臭、消臭、又は除湿等の効果拡散と、薬剤効果拡散等が図れる。
【００２１】
この取付け具５と第一アーム６とを固定する構造は、取付け具５の第一・第二螺孔５０１、５０１ａと、第一アーム６の長孔６００との間に設けた第一螺子１５の緊締で行う構造であり、例えば、この第一螺子１５を螺戻し、取付け具５と第一アーム６との緊締（固定）を解除し、第一アーム６を前進、又は後退（図４に於いて、図面に対して左右方向に移動）して位置決めを行い。続いて、第一螺子１５を締付ける所作を行い、この取付け具５と第一アーム６とを固定することで、第一アーム６の突出長さを変更できる（空調機１からの接離を調整できる）。又は第一螺子１５を螺戻し、フィン３を、平面視して（図４において上方より見た方向）右側、又は左側（図４に於いて、図面に対して奥面又は手前方向）に移動して位置決めを行う。続いて、第一螺子１５を締付ける所作を行い、この取付け具５と第一アーム６とを固定することで、第一アーム６の水平方向の角度調整「首振り調整」ができる。
【００２２】
そして、前記の挾持板７と第一・第二アーム６、８とを固定する構造は、第一アーム６の第三螺孔６０１と挾持板７に設けた第四螺孔７００との間に設けた第二螺子１６の緊締と、挾持板７の折曲げ部の緊張（折曲げ部の幅の圧縮）とで行う構造であり、例えば、この第二螺子１６の調整で、第二アーム８の傾斜角度（傾き角度）を変更できる（図１において、空調機１を仰視した底面、又は図２において、空調機１を仰視した表面に対して、上下方向の角度調整「俯角調整」ができる）。又は第二螺子１６の螺戻で、第一アーム６に対して、挾持板７と第二アーム８との緊締を解除し、第二アーム８及びフィン３の動き（ローリング動作）を自由とし、図６に示したローリングした位置で停止する。続いて、第二螺子１６を締付ける所作を行い、この第一アーム６と第二アーム８及びフィン３とを固定することで、第二アーム８及びフィン３のローリング位置（図４において、第一アーム６の長手方向に対して横揺れ角度）を固定できる。
【００２３】
また、前記のピボット継手１０は、第二アーム８の両端とフィン３との間に設けられていることから、フィン３の水平方向における自由（アクティブ）な回転（傾き）を確保できる（図５参照）
前述した各構造は、本考案の好ましい一例の説明である。従って、本考案は前述した各実施例に限定されるものではなく、考案の趣旨の範囲において構成の一部を変更する構造とか、同じ特徴と効果を達成できる構造、等は、本考案の範疇である。
【符号の説明】
【００２４】
１  空調機
２  フィンの構造
３  フィン
３００  凹部
３０１  蓋部
３０１ａ  開口
５  取付け具
５ａ  基板
５ｂ  表板
５００  貼着部
５０１  第一螺孔
５０１ａ  第二螺孔
６  第一アーム
６００  長孔
６０１  第三螺孔
７  挾持板
７００  第四螺孔
８  第二アーム
８ａ  端
８ｂ  端
１０  ピボット継手
１０ａ  雄部
１０ｂ  雌部
１５  第一螺子
１６  第二螺子
Ａ  差込空間
Ａ１  空間
Ｂ  竹炭
【図１】
0003200014.tif 000003
【図２】
0003200014.tif 000004
【図３】
0003200014.tif 000005
【図３−１】
0003200014.tif 000006
【図４】
0003200014.tif 000007
【図５】
0003200014.tif 000008
【図６】
0003200014.tif 000009
【手続補正書】
【提出日】平成27年7月21日(2015.7.21)
【手続補正１】
【補正対象書類名】実用新案登録請求の範囲
【補正対象項目名】全文
【補正方法】変更
【補正の内容】
【実用新案登録請求の範囲】
【請求項１】
空調機の一面に取付ける取付け具と、この取付け具に移動可能、及び／又は、可動可能に取付けた多関節アームを利用して取付けた、前記空調機の吹出口からの風を受けるとともに、風をガードするフィンとでなる空調機に取付けるフィンの構造。
【請求項２】
前記取付け具は、裏面に貼着部を備えた基板と、この基板に第一間隔を置いて設けられる表板とで構成し、この基板に開設した第二螺孔と、前記表板に開設した第一螺孔とを整合し、この整合した第二・第一螺孔に螺着されるとともに、前記第一間隔に挿設された第一アームの長孔に設けられる第一螺子で、この第一アームを、前記空調機に取付ける構成とした請求項１に記載の空調機に取付けるフィンの構造。
【請求項３】
前記多関節アームは、一方端を取付け具に設けた前記第一アームと、この第一アームの他端側に設けた挾持板と、この挾持板に開設した第四螺孔と、前記第一アームの他端側に開設した第三螺孔とを整合し、この整合した第四・第三螺孔に螺着されるとともに、前記挾持板に開設した孔に挿設される第二螺子と、前記挾持板に差込まれる第二アームと、この第二アームの両端に設けたピボット継手の一方と、このピボット継手の他方に設けたフィンとで構成した請求項１に記載の空調機に取付けるフィンの構造。
【請求項４】
前記フィンの風受け側にポケットを形成し、このポケットに、芳香剤、薬剤、又は竹炭を収容する構成とした請求項１に記載の空調機に取付けるフィンの構造。
【請求項５】
前記フィンは、発泡樹脂素材で構成した請求項１に記載の空調機に取付けるフィンの構造。
【手続補正２】
【補正対象書類名】明細書
【補正対象項目名】００１１
【補正方法】変更
【補正の内容】
【００１１】
請求項１の考案は、空調機の一面に取付ける取付け具と、取付け具に移動可能、及び／又は、可動可能に取付けた多関節アームを利用して取付けた、空調機の吹出口からの風を受けるとともに、風をガードするフィンとでなる空調機に取付けるフィンの構造であり、従来の上下方向とローリング方向に加えて、室内方向と、室外方向とのそれぞれに向かって、水平方向にフィンの移動を可能としたことで、風をよりマルチ（全方向）に送風する送風できる特徴がある。また、上下方向の移動を、二元的に捉えることで、より細やかな角度調整を図り、今までにない変化をフィンに与え、需要者の満喫度を向上できる特徴がある。いずれにしても、第一アームの水平、及び／又は、首振り移動（動き）と、第二アームの二段傾斜（小回転から大回転の傾き）と、ピボット継手のローリング方向の移動（動き）とを、自由に組み合わせて、マルチの風の流れと、直下への風の流れと、を自由に選択できる（冷暖房時において、風の流れを多元的、かつ任意に調整し、直下の人に優しい、風の流れを与え得る）特徴がある。
【手続補正３】
【補正対象書類名】明細書
【補正対象項目名】００１４
【補正方法】変更
【補正の内容】
【００１４】
請求項４の考案は、フィンの風受け側にポケットを形成し、ポケットに、芳香剤、薬剤、又は竹炭を収容する構成とした空調機に取付けるフィンの構造であり、請求項１の特徴に併せて、フィンと、このフィンに収容した、芳香剤、薬剤、竹炭の働きで、室内の空気の清澄性と、芳香性、並びに和み等の達成に有効に役立つものである。